(57)【要約】【課題】口金の照合確認作業を効率良く高精度で行いうるとともに、熱による無線ＩＤタグの誤動作、故障などを防止する。【解決手段】  押出しヘッド３は、ゴム押出し機本体２の前端に固定されるヘッド本体４と、口金１４を有するプリフォーマセット６とを具える。前記口金１４は、押出口７を前面に形成した板状かつ金属製の口金本体２１、及び前記口金の情報Ｘを記憶させた無線ＩＤタグ２４と、この無線ＩＤタグ２４を保持しかつ前記口金本体２１の側面に装着されるタグホルダー２５とからなる口金識別手段２２を具える。前記タグホルダー２５は、合成樹脂材からなり、前記無線ＩＤタグ２４を口金本体２１とは非接触で固定する。前記ヘッド本体４に、前記無線ＩＤタグ２４に近離できかつ近づくことにより前記無線ＩＤタグ２４に記憶された口金の情報Ｘを読み取る読み取りセンサ２６を取り付けた。【選択図】図５
2008179053.tif 000002
【特許請求の範囲】
【請求項１】
１つ以上のゴム押出し機本体と、このゴム押出し機本体からのゴムを押出口から押出す押出しヘッドとを有するゴム押出し装置であって、
前記押出しヘッドは、前記ゴム押出し機本体の前端に固定されるヘッド本体、及びこのヘッド本体に設けた凹所に着脱自在に装着されかつ前記ゴム押出し機本体からのゴムが送給されるプリフォーマと、前記押出口を有しかつ前記プリフォーマに交換可能に取り付けられる口金とからなるプリフォーマセットを具えるとともに、
前記口金は、前記押出口を前面に形成した板状かつ金属製の口金本体、及び前記口金の情報を記憶させた無線ＩＤタグと、この無線ＩＤタグを保持しかつ前記口金本体の側面に装着されるタグホルダーとからなる口金識別手段を具え、
しかも前記タグホルダーは、合成樹脂材からなり、前記無線ＩＤタグを前記口金本体とは非接触で固定するとともに、
前記押出しヘッドは、前記ヘッド本体に、前記無線ＩＤタグに近離できかつ近づくことにより前記無線ＩＤタグに記憶された口金の情報を読み取る読み取りセンサを取り付けたことを特徴とするゴム押出し装置。
【請求項２】
前記タグホルダーは、このタグホルダーが前記口金本体からの熱で熱膨張する際の応力が前記無線ＩＤタグに作用するのを減じる応力低減用の凹部を形成したことを特徴とする請求項１記載のゴム押出し装置。
【請求項３】
請求項１に記載のゴム押出し装置を用いたゴム押出しシステムであって、
前記ゴム押出し装置、
並びに目的のゴム製品の成形に適合する口金の情報である製品口金情報を記憶させる記憶部、及びこの記憶部に記憶された製品口金情報と与えられた口金の情報とを比較して該与えられた口金の情報の良否を判断する判断部を有する口金判定手段を具えるとともに、
前記口金識別手段を有する口金を含むプリフォーマセットを前記ヘッド本体に装着した後、前記読み取りセンサを近づけて前記無線ＩＤタグに記憶された口金の情報を読み取るステップと、
前記読み取った口金の情報を、前記口金判定手段に送信し、前記記憶部に記憶させた前記製品口金情報との照合により、前記読み取った口金の情報の良否を判定する照合判定ステップとを含み、
しかも前記読み取った口金の情報が不良のとき、警報を発することを特徴とするゴム押出装置のゴム押出しシステム。
【発明の詳細な説明】
【技術分野】
【０００１】
本発明は、ゴム押出し用の口金に、この口金の情報を記憶させた無線ＩＤタグを取り付け、装着する口金と、目的のゴム製品の成形に適合する口金との情報を照合させることで、口金の装着間違いを防止するゴム押出し装置、及びそれを用いたゴム押出しシステムに関する。
【背景技術】
【０００２】
ゴム押出し装置を用いて、例えばトレッドゴム、サイドウォールゴム、クリンチゴム、ビードエーペックスゴム等のタイヤ用のゴム部材（ゴム製品）を押出し成形する場合、多種類の口金を準備し、その中から、目的のゴム部材（ゴム製品）を成形するのに適合した口金を選択して使用することが必要となる。
【０００３】
しかしタイヤ用のゴム部材では、一つの品種（例えばトレッドゴム）においても、その断面形状がタイヤサイズやカテゴリー等に応じて相違している。そのため、準備する口金の種類数は、例えばトレッドゴム成形用の口金だけでも数百種類にもおよび、しかもその寸法や形状がよく似た口金も多数混在している。従って、口金のゴム押出し装置への誤装着の危険性が高く、従来においては、口金の側面等に例えばバーコードなどを用いた識別ラベルを取付け、それを読み取ることで、口金の誤装着を防止している。
【発明の開示】
【発明が解決しようとする課題】
【０００４】
しかしながら口金は、押出し時に発生するヒューム（ガス）などによってその表面が汚れるため、前記識別ラベルの読み取り不良が早期に発生しやすくなり、口金の照合確認作業の効率及び精度を損ねるという問題がある。
【０００５】
そこで本発明は、識別ラベルに代えて、口金の情報を記憶させた無線ＩＤタグを用いるとともに、この無線ＩＤタグを、合成樹脂製のタグホルダーによって口金とは非接触で固定することを基本として、口金の照合確認作業を効率良く高精度で行いうるとともに、熱による無線ＩＤタグの誤動作、故障などを防止しうるゴム押出し装置、及びそれを用いたゴム押出しシステムを提供することを目的としている。
【０００６】
【特許文献１】特開平３−１７７２０６号公報
【課題を解決するための手段】
【０００７】
前記目的を達成するために、本願請求項１の発明は、１つ以上のゴム押出し機本体と、このゴム押出し機本体からのゴムを押出口から押出す押出しヘッドとを有するゴム押出し装置であって、
前記押出しヘッドは、前記ゴム押出し機本体の前端に固定されるヘッド本体、及びこのヘッド本体に設けた凹所に着脱自在に装着されかつ前記ゴム押出し機本体からのゴムが送給されるプリフォーマと、前記押出口を有しかつ前記プリフォーマに交換可能に取り付けられる口金とからなるプリフォーマセットを具えるとともに、
前記口金は、前記押出口を前面に形成した板状かつ金属製の口金本体、及び前記口金の情報を記憶させた無線ＩＤタグと、この無線ＩＤタグを保持しかつ前記口金本体の側面に装着されるタグホルダーとからなる口金識別手段を具え、
しかも前記タグホルダーは、合成樹脂材からなり、前記無線ＩＤタグを前記口金本体とは非接触で固定するとともに、
前記押出しヘッドは、前記ヘッド本体に、前記無線ＩＤタグに近離できかつ近づくことにより前記無線ＩＤタグに記憶された口金の情報を読み取る読み取りセンサを取り付けたことを特徴としている。
【０００８】
又請求項２の発明では、前記タグホルダーは、このタグホルダーが前記口金本体からの熱で熱膨張する際の応力が前記無線ＩＤタグに作用するのを減じる応力低減用の凹部を形成したことを特徴としている。
【０００９】
又請求項３の発明は、請求項１に記載のゴム押出し装置を用いたゴム押出しシステムであって、前記ゴム押出し装置、並びに目的のゴム製品の成形に適合する口金の情報である製品口金情報を記憶させる記憶部、及びこの記憶部に記憶された製品口金情報と与えられた口金の情報とを比較して該与えられた口金の情報の良否を判断する判断部を有する口金判定手段を具えるとともに、
前記口金識別手段を有する口金を含むプリフォーマセットを前記ヘッド本体に装着した後、前記読み取りセンサを近づけて前記無線ＩＤタグに記憶された口金の情報を読み取るステップと、
前記読み取った口金の情報を、前記口金判定手段に送信し、前記記憶部に記憶させた前記製品口金情報との照合により、前記読み取った口金の情報の良否を判定する照合判定ステップとを含み、
しかも前記読み取った口金の情報が不良のとき、警報を発することを特徴としている。
【発明の効果】
【００１０】
本発明は叙上の如く、押出口を有する口金本体の側面に、口金の情報を記憶させた無線ＩＤタグを取り付けている。従って、押出し時のヒューム（ガス）などによって汚損が生じた場合にも、口金の照合確認作業を効率良くかつ高精度で行うことができる。又ゴム押出し時、口金本体の温度が約１４０℃の高温度まで上昇する一方、前記無線ＩＤタグは高温に弱いため、口金本体からの熱によって無線ＩＤタグが誤動作、故障などを起こす危険性がある。
【００１１】
しかし、合成樹脂製のタグホルダーを用い、前記無線ＩＤタグを前記口金本体とは非接触で固定しているため、口金本体からの熱の伝導を低く抑えることができ、誤動作、故障などの発生を抑制できる。
【発明を実施するための最良の形態】
【００１２】
以下、本発明の実施の一形態を、図示例とともに説明する。図１は本発明のゴム押出し装置の一例を示す側面図、図２はその主要部を拡大して示す断面図である。
図１に示すように、本実施形態のゴム押出し装置１は、１つ以上のゴム押出し機本体２と、このゴム押出し機本体２からのゴムｇを押出口７（図３，４に示す）から押出す押出しヘッド３とを有する。
【００１３】
本例では、前記押出しヘッド３に４つのゴム押出し機本体２（区別するとき２ａ〜２ｄという。）が取り付き、各ゴム押出し機本体２からの４つのゴムｇ（区別するときｇａ〜ｇｄという。）により、図１０に示す如く、断面が複数のゴム断面領域Ｙに区分されたトレッドゴムであるタイヤ用のゴム部材Ｇが、ゴム製品として押出し成形される場合が例示されている。なお図１０中の符号Ｙａは、トレッド面をなす耐カット性や耐摩耗性に優れるゴムｇａからなるキャップゴム部、符号Ｙｂは、その下側に配される低発熱性のゴムｇｂからなるベースゴム部、符号Ｙｃは、そのさらに下側に配されベルト層等との接着性に優れるゴムｇｃからなるアンダーゴム部、符号Ｙｄは、トレッド両側に配されサイドウォールゴムとの接着性に優れるゴムｇｄからなるウイングゴム部Ｙｄである。
【００１４】
前記ゴム押出し機本体２としては、投入されるゴムｇを混練しながら順次押し出すスクリュ軸式の周知構造のものが好適に採用される。各ゴム押出し機本体２は、例えば架台８によって所望の取付け角度で固定支持されるとともに、各ゴム押出し機本体２の前端は、一つの押出しヘッド３に連結される。
【００１５】
前記押出しヘッド３は、各ゴム押出し機本体２の前端が固定されるヘッド本体４と、このヘッド本体４の下流端に設ける凹所５に着脱自在に装着されるプリフォーマセット６とを具える。前記ヘッド本体４は、本例では、中央のＶブロックヘッド部１０と、その両側に配される左右の側ブロックヘッド部１１，１１とに分割可能に構成され、そのメンテナンス製が確保されるとともに、該ヘッド本体４の内部には、図２に示すように、各ゴム押出機２からのゴムｇを前記凹所５に導く導入流路１２（区別するとき１２ａ〜１２ｄという。）が形成される。
【００１６】
次に、前記プリフォーマセット６は、図３，４に示すように、前記ヘッド本体４の凹所５に着脱自在に装着される例えば断面略六角形状のプリフォーマ１３と、該プリフォーマ１３に交換可能に取り付けられる口金１４とから構成される。
【００１７】
前記プリフォーマ１３には、各ゴム押出し機本体２から前記導入流路１２をへて送給される各ゴムｇを予成形しかつ１つに合流させて前記口金１４に送り出す予成形流路１５が形成されている。
【００１８】
本例では、前記プリフォーマ１３が、第１、第２のプリフォーマダイ１５Ａ，１５Ｂと、それを保持する第１、第２のベースフォーマ１６Ａ，１６Ｂとに分解可能に構成されている場合を例示している。なお前記第１のプリフォーマダイ１５Ａには、前記導入流路１２ａ、１２ｂからのゴムｇａ、ｇｂを流入口１７ｉから受け入れて一つに合体し、第１の合体ゴムｇ１として流出口１７ｏから送り出す予成形流路部１７が配される。前記第１のベースフォーマ１６Ａには、前記流出口１７ｏからの第１の合体ゴムｇ１、及び前記導入流路１２ｃ、１２ｄからのゴムｇｃ、ｇｄを、前記第２のプリフォーマダイ１５Ｂに案内する案内流路部１８Ａ〜１８Ｃが配される。前記第２のプリフォーマダイ１５Ｂには、前記案内流路部１８Ａ〜１８Ｃからのゴムｇ１、ｇｃ、ｇｄを流入口１９ｉから受け入れて一つに合体し第２の合体ゴムｇ２として流出口１９ｏから送り出す予成形流路部１９が配される。又前記第２のベースフォーマ１６Ｂには、前記流出口１９ｏからの第２の合体ゴムｇ２を前記口金１４に案内する案内流路部２０を具える。そして、これら予成形流路部１７、及び案内流路部１８Ａ〜１８Ｃ、２０が協働して前記予成形流路１５を構成している。
【００１９】
又前記口金１４は、前記押出口７を前面に開口させた板状かつ金属製の口金本体２１と、この口金本体２１の側面に装着される口金識別手段２２とを具える。なお前記口金本体２１は、従来の口金に相当するもので、前記プリフォーマ１３の前端に設けた嵌合凹部２３に、交換可能に取り付けられる。
【００２０】
次に、前記口金識別手段２２は、図４、図５（Ａ）、（Ｂ）に示すように、前記口金の情報Ｘを記憶させた無線ＩＤタグ２４と、この無線ＩＤタグ２４を保持しかつ前記口金本体２１の一側面２１Ｓに装着されるタグホルダー２５とから形成される。なお前記口金の情報Ｘは、特に規制されることがなく、例えば口金１４毎に付与する一連の整理番号であっても良く、又押出口７の開口形状（サイズを含む）などの情報であっても良い。
【００２１】
又前記無線ＩＤタグ２４は、周知の如く、情報を記録しておくＩＣチップと、無線通信用のアンテナとを内蔵した小型データキャリアであって、読み取りセンサ２６からの読取り電波を受信したとき、これを電気エネルギーとして使用しＩＣチップ内の記憶情報を発信しうるバッテリーレスのものが好適に使用できる。又無線ＩＤタグ２４では、カード型、矩形ブロック型、円柱型等種々の形状のものが市販されているが、特にタグホルダー２５から受ける外力に対する強度を高めるために円柱型のものが、好適に採用される。
【００２２】
又前記タグホルダー２５としては、合成樹脂材、特に溶融温度Ｔｍが２５０℃以上の耐熱性樹脂材、例えばポリフェニレンスルフィド（ＰＰＳ）、ポリエーテルエーテルケトン（ＰＥＥＫ）、ポリスルホン（ＰＳＦ）等が好適に採用しうる。又タグホルダー２５は、本例では、前記口金本体２１の一側面２１Ｓにボルト２７，２７を用いて固定されるホルダ本体２５Ａを具えるとともに、このホルダ本体２５Ａには、前記ボルト２７を挿通する一対のボルト挿通孔２８と、前記無線ＩＤタグ２４を収納保持するタグ収納孔２９とが少なくとも形成される。
【００２３】
本例では、一方のボルト挿通孔２８がホルダ本体２５Ａの長さ方向中央側に配され、かつ他方のボルト挿通孔２８がホルダ本体２５Ａの長さ方向他端側に配されるとともに、前記タグ収納孔２９がホルダ本体２５Ａの長さ方向一端側に配されている。これにより、前記ホルダ本体２５Ａが口金本体２１からの熱によって熱膨張する際の応力が、前記無線ＩＤタグに作用するのを減じ、無線ＩＤタグ２４の故障を抑制できる。これは、もしボルト挿通孔２８、２８をホルダ本体２５Ａの長さ方向両端側に設け、かつ前記タグ収納孔２９をボルト挿通孔２８、２８間に配した場合には、熱によるホルダ本体２５Ａの伸び（熱膨張）が吸収されず、大きな圧縮応力となって無線ＩＤタグ２４に作用するからである。なお本例では、前記ボルト挿通孔２８、２８間かつホルダ本体２５Ａの外面に第１の凹部３０を設け、その放熱効果、及び熱膨張の吸収効果によって、ホルダ本体２５Ａ自体の損傷を防止している。又ボルト挿通孔２８とタグ収納孔２９との間かつホルダ本体２５Ａの外面には、第２の凹部３１を設け、その放熱効果、及び熱膨張の吸収効果によって、無線ＩＤタグ２４に作用する圧縮応力をさらに低減し、無線ＩＤタグ２４のさらなる故障抑制が図られている。
【００２４】
又タグ収納孔２９は、ホルダ本体２５Ａの内面側に形成される大径部２９Ａと、外面側の小径部２９Ｂとを段差部２９Ｃで継ぐ段付き孔からなり、前記大径部２９Ａに収納する無線ＩＤタグ２４を、前記段差部２９Ｃで抜け止めしている。又大径部２９Ａ内には、前記無線ＩＤタグ２４と口金本体２１との間に介在することで前記無線ＩＤタグ２４を前記口金本体２１とは非接触とするスペーサ２５Ｂを配している。このスペーサ２５Ｂもホルダ本体２５Ａと同様、合成樹脂材、好ましくは耐熱性樹脂材から形成される。なおスペーサ２５Ｂとホルダ本体２５Ａとは、同一材とする必要はないが、熱膨張のバランスの観点から同一材とするのが好ましい。
【００２５】
ここで、合成樹脂材は熱伝導率が低くいため、合成樹脂材からなるスペーサ２５Ｂを介在させることにより、前記口金本体２１からの熱が無線ＩＤタグ２４に伝わるのを低く抑えることができ、高温度に弱い無線ＩＤタグ２４の誤動作、故障などを抑制できる。又前記小径部２９Ｂは外面側で開口するため、無線ＩＤタグ２４の放熱を助け、誤動作、故障などのさらなる抑制が期待できる。又前記小径部２９Ｂは、無線ＩＤタグ２４を露出させるため、読み取りセンサ２６による読み取り精度を高める効果も期待できる。なおスペーサ２５Ｂの厚さは特に規制されないが、２．０ｍｍ以上確保するのが好ましい。
【００２６】
又前記押出しヘッド３には、図６、７に示すように、前記ヘッド本体４に、前記無線ＩＤタグ２４に近離できかつ近づくことにより前記無線ＩＤタグ２４に記憶された口金の情報Ｘを読み取る読み取りセンサ２６を有する読み取り手段３２を取り付けている。前記読み取り手段３２は、本例では、前記ヘッド本体４の側面に固定されかつロッドを下方に向けた昇降移動用の第１のシリンダ３５、該第１のシリンダ３５のロッド下端に水平に取り付く横移動用の第２のシリンダ３６、及び該第２のシリンダ３６のロッド先端に取り付く読み取りセンサ２６とを具える。そして、読み取りセンサ２６は、前記第１のシリンダ３５の伸縮により、上方の待機位置から、口金１４の無線ＩＤタグ２４と同高さの下降位置まで上下に昇降移動できる。又読み取りセンサ２６は、前記第２のシリンダ３６の伸縮により、無線ＩＤタグ２４と離間する離間位置から、無線ＩＤタグ２４に近づくことにより該無線ＩＤタグに記憶された口金の情報Ｘを読み取る近接位置まで水平に横移動できる。
【００２７】
なお、第１のシリンダ３５を用いる理由は、プリフォーマセット６をヘッド本体４に装着する際に使用する昇降自在な作業台車３７が、読み取り手段３２と衝合するのを避けるためであり、作業台車３７の構造によっては、前記第１のシリンダ３５を削除することができる。なお第２のシリンダ３６は、プリフォーマセット６をヘッド本体４に装着する際に、無線ＩＤタグ２４が読み取り手段３２と衝合するのを避けるために用いられる。
【００２８】
次に、前記ゴム押出し装置１を用いたゴム押出しシステムを説明する。このゴム押出しシステムでは、図８、９に略示するように、前記ゴム押出し装置１と、口金判定手段４０とを使用する。
【００２９】
前記口金判定手段４０は、記憶部４１と判断部４２とを具え、前記記憶部４１では、目的とするゴム製品の成形に適合する口金１４の情報である製品口金情報Ｘ０、即ちこれから製造しようとする目的のゴム製品のために使用される正しい口金１４の情報を記憶する。又前記判断部４２では、前記記憶部４１に記憶された製品口金情報Ｘ０と、与えられた口金１４の情報ＸＡとを比較し、該与えられた口金１４の情報ＸＡの良否を判断する。なお前記「与えられた口金１４の情報ＸＡ」とは、予め準備された多数（ｎ）個の口金１４の中から選択され、ゴム押出し装置１に実際に装着しようとする口金１４の情報を意味する。
【００３０】
ここで、前記準備された多数（ｎ）個の口金１４は、例えば収納棚である保管場所に設定したそれぞれの収納位置に保管されている。そして前記与えられる口金１４は、この保管場所から取り出されて、前記ゴム押出し装置１に装着される。又図中の符号４４は、前記準備された多数（ｎ）個の口金１４の情報Ｘｉ（ｉ＝１〜ｎ）を含むデータを記憶させたデータベースであり、本例では、このデータベース４４の中から、前記製品口金情報Ｘ０を取り出して前記記憶部４１に一時的に記憶させる。
【００３１】
具体的には、前記口金判定手段４０と、データベース４４とはコンピュータ内に設けられ、製造しようとする目的のゴム製品の情報、例えばゴム製品の整理番号などを入力することで、前記データベース４４から製品口金情報Ｘ０を選び出し、該製品口金情報Ｘ０を前記記憶部４１に記憶させるとともに、該製品口金情報Ｘ０を表示する。また作業者は、前記表示された製品口金情報Ｘ０に基づき、実際に使用する口金１４を前記保管場所から取り出す。
【００３２】
そして、本実施形態のゴム押出しシステムでは、実際に使用する口金１４の情報ＸＡ（即ち、与えられた口金１４の情報ＸＡ）と、前記製品口金情報Ｘ０とを比較し、該与えられた口金１４の情報ＸＡが正しいかどうかを判定するために、下記の読取りステップと照合判定ステップとを行う。
【００３３】
前記読取りステップでは、前記口金識別手段２２を有する口金１４を含むプリフォーマセット６を前記ヘッド本体４に装着した後、前記読み取りセンサ２６を近づけて前記無線ＩＤタグ２４に記憶された口金１４の情報ＸＡ（即ち、与えられた口金１４の情報ＸＡ）を読み取る。
【００３４】
なおプリフォーマセット６のヘッド本体４への装着は、前述の如き昇降自在な作業台車３７（前記図６、７に示す）を用いて行われる。具体的には、例えば作業台車３７を上昇させ、先に使用したプリフォーマセット６を、ヘッド本体４から取り外して作業台車３７上に受け取る。そして下降した作業台車３７上で、先に使用した口金１４と、次に使用する口金１４（前記保管場所から取り出された口金）とを交換する。しかる後、作業台車３７を上昇させ、口金１４が交換されたプリフォーマセット６を、ヘッド本体４に装着する。なお口金１４を交換する際、プリフォーマ１３も新しいプリフォーマ１３と交換することもできる。斯かる場合には、新しいプリフォーマ１３と次に使用する口金１４とを前記作業台車３７上で組み立てる。又口金１４のみを交換する場合には、前記作業台車３７を使用せず、プリフォーマセット６がヘッド本体４に取り付いた状態のままで、口金１４のみを交換することもできる。いずれにしても、口金１４が押出しヘッド３に装着されている状態にて読取りステップが行われる。
【００３５】
又前記照合判定ステップでは、前記読み取った口金１４の情報ＸＡを前記口金判定手段４０に送信し、この情報ＸＡと、前記記憶部４１に記憶させた前記製品口金情報ＸＯとの照合を行い、前記読み取った口金１４の情報ＸＡの良否を判定する。そして、前記読み取った口金１４の情報ＸＡが不良のときには、警報を発し、口金１４の誤装着を警告する。又前記情報ＸＡが正しい場合には、ゴム押出し装置１を始動させ、ゴム製品の製造作業を開始する。
【００３６】
以上、本発明の特に好ましい実施形態について詳述したが、本発明は図示の実施形態に限定されることなく、タイヤ用ゴム部材以外の種々のゴム製品の製造のために適用しうるなど、種々の態様に変形して実施しうる。
【図面の簡単な説明】
【００３７】
【図１】本発明のゴム押出し装置の一例を示す正面図である。
【図２】押出しヘッドの主要部を拡大して示す断面図である。
【図３】プリフォーマセットを拡大して示す断面図である。
【図４】プリフォーマセットの斜視図である。
【図５】（Ａ）、（Ｂ）は、口金識別手段を示す正面図、及びそのＩ−Ｉ線断面図である。
【図６】読み取り手段の動作を、プリフォーマセットのヘッド本体への装着動作とともに示す正面図である。
【図７】読み取り手段の動作を、プリフォーマセットのヘッド本体への装着動作とともにさらに示す正面図である。
【図８】ゴム押出しシステムを説明する略図である。
【図９】ゴム押出しシステムを説明するフローチャートである。
【図１０】成形するゴム製品の一例を示す断面図である。
【符号の説明】
【００３８】
１     ゴム押出し装置
２     ゴム押出し機本体
３     押出しヘッド
４     ヘッド本体
５     凹所
６     プリフォーマセット
７     押出口
１３   プリフォーマ
１４   口金
２１   口金本体
２２   口金識別手段
２４   無線ＩＤタグ
２５   タグホルダー
２６   読み取りセンサ
３０   凹部
４０   口金判定手段
４１   記憶部
４２   判断部
ＸＡ   与えられた口金の情報
Ｘ０   製品口金情報
【図１】
2008179053.tif 000003
【図２】
2008179053.tif 000004
【図３】
2008179053.tif 000005
【図４】
2008179053.tif 000006
【図５】
2008179053.tif 000007
【図６】
2008179053.tif 000008
【図７】
2008179053.tif 000009
【図８】
2008179053.tif 000010
【図９】
2008179053.tif 000011
【図１０】
2008179053.tif 000012